(57)【特許請求の範囲】
【請求項１】
第１発光部材と；
前記第１発光部材に並べて配置される第２発光部材と；
前記第１発光部材と前記第２発光部材との間に配置され、前記第２発光部材に対向する面の照射方向と直交する方向の長さが、前記第２発光部材の前記第１発光部材に面する領域以上の長さを有する板状の部材であり且つ前記第２発光部材の照射方向の高さ以上の高さを有する透光性を有する不燃性の隔壁と；
を備えたことを特徴とする照明装置。
【請求項２】
第１発光部材と；
前記第１発光部材に並べて配置される第２発光部材と；
前記第１発光部材と前記第２発光部材との間に配置され、前記第２発光部材の全周を囲う円筒状の部材であり且つ前記第２発光部材の照射方向の高さ以上の高さを有する透光性を有する不燃性の隔壁と；
を備えたことを特徴とする照明装置。
【請求項３】
前記第２発光部材は、非常用光源及び前記非常用光源を覆う透光性のレンズ部材を有することを特徴とする請求項１又は２に記載の照明装置。
【請求項４】
前記隔壁は、前記第２発光部材までの距離が前記第１発光部材までの距離よりも短い位置に配置されることを特徴とする請求項１〜３のいずれか一つに記載の照明装置。 
【発明の詳細な説明】
【技術分野】
【０００１】
本発明の実施形態は、照明装置に関する。
【背景技術】
【０００２】
発光ダイオード（ＬＥＤ：Light  Emitting  Diode）から放射された光が所定の方向に照射されるように、レンズを備えたＬＥＤ照明器具が提案されている。例えば、発光ダイオードの発光領域の全域を囲繞するように基板に一体に実装された投光レンズを具備し、投光レンズの屈折率を利用して発光ダイオードからの光の配光特性を制御するＬＥＤ照明器具が提案されている。このようなＬＥＤ照明器具は、広角型の投光レンズを実装した場合、発光ダイオードから拡散する光を逃がすことなく照明光として有効に利用することができる。
【０００３】
また、住宅や、商業施設、工場等の天井面に直接取り付けられる照明器具として、常用点灯用光源を有する照明器具の器具本体内に非常灯を組み込んだ非常灯組み込み型の照明器具が開発されている。このような照明器具における非常灯として、上述したような広角型の投光レンズを実装したＬＥＤ照明器具が用いられる。この非常灯組み込み型の照明器具は、通常時は商用電源のような外部電源の電力を用いて一般光源を点灯させ、外部電源からの給電が停止した非常時には、内蔵した蓄電池の電力を用いて非常用光源を点灯させる構成になっている。
【０００４】
このような非常灯組み込み型の照明器具として、一般光源を有する第１照明器具と非常用光源を有する第２照明器具とを第１照明器具の長手方向に並べて配置した照明器具が提案されている。
【先行技術文献】
【特許文献】
【０００５】
【特許文献１】特開２０１７−４５６１４号公報
【発明の概要】
【発明が解決しようとする課題】
【０００６】
しかしながら、１つの照明器具に一般光源及び非常用光源を配置した場合、配置スペースに限りがあり、一般光源と非常用光源との間の距離が短くなることが考えられる。そのため、一般光源が発火した場合、非常用光源に延焼するおそれがある。
【０００７】
また、一般光源を有する第１照明器具と非常用光源を有する第２照明器具とを並べて配置する従来技術を用いても、一般光源が発火した場合に非常用光源への延焼を回避することは困難である。
【０００８】
本発明が解決しようとする課題は、非常用光源への延焼を抑制する照明装置を提供することを目的とする。
【課題を解決するための手段】
【０００９】
本願の開示する照明装置の一つの態様において、第１発光部材及び第２発光部材を有する。隔壁は、前記第１発光部材と前記第２発光部材との間に配置され、前記第２発光部材に対向する面の照射方向と直交する方向の長さが、前記第２発光部材の前記第１発光部材に面する領域以上の長さを有する板状の部材であり且つ前記第２発光部材の照射方向の高さ以上の高さを有する透光性を有する不燃性の部材である。
【図面の簡単な説明】
【００１０】
【図１】図１は、第１の実施形態に係る非常灯組み込み型の照明装置の全体の外観を示す斜視図である。
【図２】図２は、非常灯が取り付けられた部分を拡大した斜視図である。
【図３】図３は、照明装置の筐体から取り外された状態の非常灯の概略斜視図である。
【図４】図４は、隔壁の配置状態を説明するための図である。
【図５】図５は、筒形の隔壁の例を示す図である。
【図６】図６は、ドーム型の隔壁の例を示す図である。
【発明を実施するための形態】
【００１１】
以下で説明する実施形態に係る照明装置１００は、ＬＥＤバー３と、非常用光源モジュール２１と、隔壁７とを具備する。隔壁７は、ＬＥＤバー３と非常用光源モジュール２１との間に配置され、非常用光源モジュール２１の照射方向の高さ以上の高さを有する透光性を有する不燃性の部材である。
【００１２】
また、以下に説明する実施形態に係る非常用光源モジュール２１は、非常用光源２１２及び非常用光源２１２を覆う透光性のレンズ２１１を有する。
【００１３】
また、以下に説明する実施形態に係る隔壁７は、非常用光源モジュール２１に対向する面の照射方向と直交する方向の長さが、非常用光源モジュール２１のＬＥＤバー３に面する領域以上の長さを有する板状の部材である。
【００１４】
また、以下に説明する実施形態に係る隔壁７は、非常用光源モジュール２１の全周を囲う円筒状の部材である。
【００１５】
また、以下に説明する実施形態に係る隔壁７は、非常用光源モジュール２１の照射方向の全体を覆う形状の部材である。
【００１６】
また、以下に説明する実施形態に係る隔壁７は、非常用光源モジュール２１までの距離がＬＥＤバー３までの距離よりも短い位置に配置される。
【００１７】
以下、図面を参照して、実施形態に係る照明装置を説明する。実施形態において同一の部位には同一の符号を付し、重複する説明は省略される。
【００１８】
（第１の実施形態）
まず、図１及び２を参照して、第１の実施形態に係る非常灯及び照明装置の全体の構成について説明する。
【００１９】
図１は、第１の実施形態に係る非常灯組み込み形の照明装置の全体の外観を示す斜視図である。本実施形態の照明装置１００の照明器具１は、図１に示すように、長尺状の常用点灯用光源としての直管形のＬＥＤバー３と、ＬＥＤバー３を保持する筐体４とを備える。ＬＥＤバー３は、常用光源である。ＬＥＤバー３は、一般光源であり、商用電源などの外部電源から供給された電力で点灯する。
【００２０】
さらに、照明器具１は、通常時にＬＥＤバー３を点灯させる図示しない常用電源ユニットと、常用電源ユニットを外部電源に接続する図示しない電源端子台と、反射板４１及び４２とを有する常用点灯用の構成部品を備える。
【００２１】
照明器具１の筐体４は、図１に示すように、常用点灯用の構成部品を収容する埋め込みシャーシであるケース部材５を有する。このケース部材５は、対向配置された一対の端板５１及び５２を有する。そして、これらの端板５１と５２との間に反射板４１及び４２が配置される。
【００２２】
照明器具１の筐体４には、反射板４１の一方の傾斜面における端板５２側の端部に、非常灯２が、ＬＥＤバー３の長手方向と直交する方向に横並び状態で隣接配置される。本実施形態では、筐体４の反射板４１の一方の傾斜面に長方形状の切欠き部分６が設けられる。そして、この切欠き部分６に非常灯２が装着される。さらに、照明器具１と非常灯２との間に透光性を有する不燃性の板状の隔壁７が配置される。
【００２３】
図２は、非常灯が取り付けられた部分を拡大した斜視図である。非常灯２は、非常用光源モジュール２１を備える。さらに、非常灯２は、点検スイッチ２２、モニタ用ＬＥＤ２３及びモニタ用ＬＥＤ２４を有する。非常灯２は、化粧枠４３により筐体４に取り付けられた状態で保持される。非常灯２は、化粧枠４３を外すことで筐体４から着脱可能である。
【００２４】
（非常灯２の詳細）
次に、図３を参照して、非常灯２の詳細について説明する。図３は、照明装置の筐体から取り外された状態の非常灯の概略斜視図である。図３では、図２で照明装置１００に取り付けられた状態の非常灯２とは上下が逆になった状態の非常灯２を表す。図３に示すように、非常灯２は、非常用光源モジュール２１、点検スイッチ２２、モニタ用ＬＥＤ２３及びモニタ用ＬＥＤ２４に加えて、光源固定金具２５、電池パック２６及び回路基板ケース２７を有する。
【００２５】
電池パック２６は、図示しない複数の蓄電池を有する。電池パック２６からは充放電用の経路となる電源ケーブル２６１が伸び、電源ケーブル２６１は、基板（不図示）に設けられた電池用端子台２９に接続される。具体的には、本実施形態に係る非常灯２では、電源ケーブル２６１の電池パック２６とは逆側の先端に、オス側のコネクタ（不図示）が設けられる。そして、電源ケーブル２６１の先端に設けられたオス側のコネクタが、基板の電池用端子台２９に設けられたメス側のコネクタ（不図示）に接続されることで、電池パック２６は、電源ケーブル２６１により基板上の電池用端子台２９と接続される。
【００２６】
通常時には商用電源などの外部電源から供給された電力が電源ケーブル２６１を経由して電池パック２６に流れ込み、蓄電池が充電される。一方、停電などにより外部電源からの電力供給が停止した場合、電池パック２６は、蓄電池に溜めた電気を電源ケーブル２６１を介して基板に供給する。
【００２７】
基板は、電池パック２６が配置された側の面とは反対側の配線面上の片側端部に点検スイッチ２２、モニタ用ＬＥＤ２３及びモニタ用ＬＥＤ２４が配置される。また、基板は、配線面上の逆側端部に電源用端子台２８及び電池用端子台２９が配置される。
【００２８】
そして、基板は、回路基板ケース２７により電池パック２６とは反対側が覆われる。回路基板ケース２７及び基板は、図３に示すように、光源固定金具２５により保持される。
【００２９】
さらに、基板における電池パック２６とは反対側の面の上にレンズ２１１及び非常用光源２１２を有する非常用光源モジュール２１が配置される。そして、回路基板ケース２７及び基板は、図３に示すように、光源固定金具２５により保持される。
【００３０】
基板は、外部電源から電力供給がある場合、電池パック２６を充電する。また、外部電源からの電力供給が停止したア場合、基板３０は、電池パック２６から供給される電力を用いて非常用光源２１２を点灯する。
【００３１】
電源用端子台２８及び電池用端子台２９の内部には、トランスやコンデンサなどが配置される。また、本実施形態では、電源用端子台２８及び電池用端子台２９には、接続用のメス側のコネクタが設けられる。これにより、電源用端子台２８には、外部電源から延びる電源供給用のケーブル（不図示）が着脱可能となる。また、電池用端子台２９には、電池パック２６から延びる電源ケーブル２６１が着脱可能となる。
【００３２】
点検スイッチ２２は、非常用光源２１２の状態の試験を実施するためのスイッチである。点検スイッチ２２が押下されると、非常用光源２１２が点灯する。また、非常用光源２１２が点灯状態で、点検スイッチ２２が押下されると、非常用光源２１２は消灯する。
【００３３】
モニタ用ＬＥＤ２３は、電池パック２６の充電状態を表示する。また、モニタ用ＬＥＤ２４は、非常灯２の動作状況や異常の発生を通知する。ここで、本実施形態では、モニタ用ＬＥＤ２３及び２４を配置したが、この数に特に制限は無い。
【００３４】
非常用光源モジュール２１は、光源固定金具２５により回路基板ケース２７に固定される。非常用光源２１２は、例えば、ＬＥＤである。非常用光源２１２は、基板の電池パック２６とは反対側の面上に配置される。非常用光源２１２は、電池用端子台２９に向けて配線が伸びており、電池パック２６からの電力供給経路に接続する。
【００３５】
レンズ２１１は、非常用光源２１２の光の照射方向を覆うように配置される。レンズ２１１は、非常用光源２１２から照射された光を広範囲に広げて照射する。
【００３６】
光源固定金具２５は、非常用光源モジュール２１、回路基板ケース２７及び電池パック２６を相互に固定する部材である。光源固定金具２５は、図３に示すように非常用光源モジュール２１の周囲を覆い、さらに、回路基板ケース２７及び電池パック２６の側面を覆う形状を有する。
【００３７】
（隔壁７の詳細）
次に、図４を参照して、隔壁７の詳細を説明する。図４は、隔壁の配置状態を説明するための図である。隔壁７は、上述したように透光性及び不燃性を有する板状の部材である。隔壁７の材質は、例えば、ガラスである。図４では、説明を分かり易くするために説明に使用しない部材は省略した。
【００３８】
図４において、非常灯２、ＬＥＤバー３及び隔壁７が固定された土台５３は、ケース部材５の一部であり、ケース部材５の内部に配置された部材である。隔壁７は、土台５３から非常用光源モジュール２１の照射方向に向かって高さＨを有する。ここで、非常用光源モジュール２１の照射方向とは、非常用光源２１２の光軸方向である。照射方向は、例えば、図４における土台５３の法線方向である。そして、この高さＨは、少なくともレンズ２１１の土台５３から照射方向に向かって最も離れた距離よりも長い長さである。
【００３９】
さらに、隔壁７は、ＬＥＤバー３の長手方向に延びる長さが、レンズ２１１のＬＥＤバー３と対向する領域の長さ以上である。すなわち、隔壁７は、レンズ２１１に対向する面の照射方向と直交する方向の長さが、レンズ２１１のＬＥＤバー３に面する部分の長さ以上の長さを有する板状の形状を有する。そして、隔壁７は、ＬＥＤバー３の各点からＬＥＤバー３の短手方向に向かってレンズ２１１を見た場合に、レンズ２１１が見えないように配置される。以下では、このように配置された隔壁７の状態を、ＬＥＤバー３から見て非常灯２を隠す状態という。すなわち、非常灯２は、ＬＥＤバー３から見て不燃性の部材である隔壁７により隠されるため、ＬＥＤバー３からの延焼を抑制することができる。
【００４０】
さらに、ＬＥＤバー３は、図４における一点鎖線で示される照射範囲Ｌ１で光を照射する。また、非常用光源モジュール２１は、図４における二点鎖線で示される照射範囲Ｌ２で光を照射する。この場合、照射範囲Ｌ１及びＬ２の何れも、隔壁７は、照射光を遮る位置にある。ただし、隔壁７は透光性を有するため、ＬＥＤバー３及び非常用光源モジュール２１から照射された光は、それぞれ照射範囲Ｌ１及びＬ２の全てを照らすことができる。
【００４１】
ここで、図４では、隔壁７は、ＬＥＤバー３までの距離とレンズ２１１までの距離がほぼ等しい位置に配置されているが、隔壁７の位置はこの位置に限らない。ＬＥＤバー３とレンズ２１１との間の距離が広い場合、隔壁７は、ＬＥＤバー３までの距離よりも非常用光源モジュール２１に近い位置に配置されることがより好ましい。隔壁７が、非常用光源モジュール２１に近いほど非常用光源モジュール２１への延焼を抑制することができる。
【００４２】
以上に説明したように、本実施形態に係る照明装置の非常用光源モジュールは、一般光源から見て透光性及び不燃性を有する隔壁で隠される。この隔壁は透光性を有するため、一般光源及び非常用光源が照射する光のいずれも遮蔽しない。これにより、本実施形態に係る照明装置は、一般光源及び非常用光源の照射範囲を維持し光量を確保しつつ一般光源が発火した場合の非常用光源モジュールへの延焼を抑えることができる。
【００４３】
（第２の実施形態）
第１の実施形態では、隔壁７を板状の部材として説明したが、延焼を防ぐのであれば、非常灯２は、ＬＥＤバー３から見て不燃性の部材で隠されればよい。したがって、隔壁７は、ＬＥＤバー３から見て非常灯２を隠す形状であれば他の形状でもよい。以下に他の形状の隔壁７を有する場合について説明する。図５は、筒型の隔壁の例を示す図である。また、図６は、ドーム型の隔壁の例を示す図である。
【００４４】
図５に示すように、隔壁７は、非常用光源モジュール２１のレンズ２１１の全周を囲う筒状の形状であってもよい。この場合、筒状の隔壁７は、非常用光源２１２から見て土台５３から離れる方向に開口部を有する。この場合も、隔壁７は透光性を有するので、非常用光源２１２から照射された光は阻害されることなく照射範囲全体を照らすことができる。
【００４５】
また、図６に示すように、隔壁７は、非常用光源モジュール２１のレンズ２１１を覆うドーム状の形状であってもよい。この場合、ドーム状の隔壁７は、レンズ２１１との間に空間を有するようにレンズ２１１の全体を覆う。この場合も、隔壁７は透光性を有するので、非常用光源２１２から照射された光は阻害されることなく照射範囲全体を照らすことができる。
【００４６】
以上に説明したように、本実施形態に係る照明装置の非常用光源モジュールは、一般光源から見て筒状又はドーム状の透光性及び不燃性の隔壁で隠される。これにより、一般光源及び非常用光源モジュールの照射範囲を維持しつつ一般光源からの延焼を抑えることができる。すなわち、平板以外の形状であっても、一般光源から見て非常用光源を隠す隔壁であれば、一般光源及び非常用光源モジュールの光量を確保しつつ一般光源が発火した場合の非常用光源モジュールへの延焼を抑制することができる。
【符号の説明】
【００４７】
１  照明器具
２  非常灯
３  ＬＥＤバー
４  筐体
５  ケース部材
６  切欠き部分
７  隔壁
２１  非常用光源モジュール
２２  点検スイッチ
２３，２４  モニタ用ＬＥＤ
２５  光源固定金具
２６  電池パック
２７  回路基板ケース
２８  電源用端子台
２９  電池用端子台
４１，４２  反射板
４３  化粧枠
５１，５２  端板
５３  土台
２１１  レンズ
２１２  非常用光源
２６１  電源ケーブル
【図１】
0006988316.tif 000002
【図２】
0006988316.tif 000003
【図３】
0006988316.tif 000004
【図４】
0006988316.tif 000005
【図５】
0006988316.tif 000006
【図６】
0006988316.tif 000007